(57)【特許請求の範囲】
【請求項１】
孔あき研磨用品と補助工具との間に使用される接合パッドであって、
ａ）複数の開口を画定する研磨用品裏当て面と、
ｂ）前記研磨用品裏当て面の補助工具側に重なる複数の島部であって、前記複数の開口のうちの少なくとも２つと流体連通する複数のチャネルを画定する複数の島部と、
ｃ）前記複数の島部の補助工具側に重なる補助工具裏当て面と、
を含み、
前記複数の島部が、前記研磨用品裏当て面の補助工具側に重なる隆起であり、
前記複数の島部によって画定される前記複数のチャネルが、複数の同心チャネルを含み、
前記複数のチャネルの少なくとも１本が、前記研磨用品裏当て面によって画定される前記開口のうち３つ以上と流体連通し、
前記複数のチャネルの少なくとも１本が、前記補助工具によって画定される少なくとも１つの集塵開口と整列するように位置決めされ、
前記研磨用品裏当て面の前記複数の開口の少なくとも一部分が、前記孔あき研磨用品の穿孔の少なくとも一部分と整列するように位置決めされ、
前記複数のチャネルが、前記複数の同心チャネルのうちの少なくとも２本と流体連通する少なくとも１本の連結チャネルも含む、
ディスク形状の接合パッド。
【請求項２】
前記研磨用品裏当て面がフック面ファスナ又はループ面ファスナ部品を備える、請求項１に記載の接合パッド。
【請求項３】
前記複数のチャネルの少なくとも１本が蛇行していないチャネルである、請求項１に記載の接合パッド。
【請求項４】
前記補助工具裏当て面がフック面ファスナ又はループ面ファスナ部品を備える、請求項１に記載の接合パッド。
【請求項５】
前記複数のチャネルの少なくとも１本が、前記補助工具裏当て面によって画定される複数の開口と流体連通する、請求項１に記載の接合パッド。
【請求項６】
前記補助工具裏当て面によって画定される前記複数の開口の少なくとも一部分が、前記補助工具によって画定される少なくとも１つの集塵開口と整列するように位置決めされる、請求項１に記載の接合パッド。
【発明の詳細な説明】
【技術分野】
【０００１】
関連出願
本願は、２００７年１２月３１日に出願された米国仮特許出願第６１／００９，６３１号明細書の利益を主張する。
【０００２】
上記出願の教示全体は、参照によって本明細書に援用される。
【背景技術】
【０００３】
研磨用品は、特に木材に対して使用されるとき、多量の粉塵を発生し得る。この粉塵は削り屑としても知られ、不都合なだけでなく、さらには研磨されている表面が覆い隠されて見えなくなるとともに、使用中の研磨用品に負荷がかかり得る。従って、多くの製造業者が、粉塵が形成されたときにそれを吸い取るための、一体化した、又は簡便に取り付けることのできる真空排出システム設計を有する工具を販売している。この吸い取りは、典型的には、研磨用品を取り付けた工具の裏側に真空をかけ、粉塵が発生したときにそれを排出させるための、工具と研磨用品とを貫通する穴を設けることによって行われる。
【０００４】
しかしながら、工具の粉塵排出穴のパターンが規格化されていないという問題があり、従って、多くの場合に、ある特定の工具での使用が意図された研磨用品は、別の工具の粉塵排出穴とは整列しない。最適な除塵のためには、研磨用品の穴とその補助工具の穴とは、同一で、且つ完全に整列する必要がある。典型的には、使用者は、既存の工具の性能を損なわないまま研磨用品の穴の構成を変えることはできない。同等の性能を維持し、又は性能を向上させるには、使用者は工具を完全に交換しなければならない。
【０００５】
現在、互いに適合性を有しない多くの穴の構成が市販品として利用可能である。これは、小売業者がいかなる顧客のニーズにも対応可能であるべきとすれば、ドゥー・イット・ユアセルフ（「ＤＩＹ」）の市場向けに販売する小売業者は、全てのグリットサイズについて少なくとも２つの異なる研磨用品在庫を置いておかなければならないことを意味する。これにより、交換用の研磨材を在庫として備えておかなければならないＤＩＹ商品の数が増加するため、貴重な棚スペースが塞がり、非常に不都合なことになる。
【発明の概要】
【課題を解決するための手段】
【０００６】
本発明は、研磨用品と補助工具との間に使用される接合パッドに関する。特定の一実施形態において、孔あき研磨用品と補助工具との間に使用される接合パッドが提供される。一般に、本明細書に記載される接合パッドは、特定の構成の開口を有する研磨用品と、異なる構成の集塵開口を有する補助工具との間に接合パッドを使用することができるように構成された、開口及び少なくとも１本のチャネルを含む。いくつかの実施形態において、本明細書に記載される接合パッドは、研磨用品と補助工具との間に接合パッドを使用して、補助工具の開口の向きに対する研磨用品の開口の向きを変えることができるように構成された、開口及び少なくとも１本のチャネルを含む。一実施形態において、本明細書に記載される接合パッドは、任意の孔あき研磨用品と、除塵が可能な任意の補助工具との間に接合パッドを使用することができるように構成された、開口及び少なくとも１本のチャネルを含む。
【０００７】
研磨用品、例えば孔あき研磨用品と補助工具との間に使用される接合パッドは、複数の開口を画定する研磨用品裏当て面と；研磨用品裏当て面の下に重なる複数の島部であって、複数の開口のうちの少なくとも２つと流体連通する少なくとも１本のチャネルを画定する島部と；複数の島部の下に重なる補助工具裏当て面とを備え得る。
【０００８】
一実施形態において、研磨用品、例えば孔あき研磨用品と補助工具との間に使用される接合パッドは、第１の複数の開口を画定する研磨用品裏当て面と；研磨用品裏当て面の周囲の下に重なる第１の補助構造と；研磨用品裏当て面の下に重なる少なくとも１つの追加的な補助構造であって、第１の複数の開口のうちの少なくとも２つと流体連通する少なくとも１本のチャネルを画定する少なくとも１つの追加的な補助構造と；第２の複数の開口を画定する補助工具裏当て面であって、少なくとも第１の補助構造の下に重なり、且つそれと固着される補助工具裏当て面とを備えてもよく、少なくとも１本のチャネルは、第２の複数の開口のうちの少なくとも２つとも流体連通する。
【０００９】
さらに別の実施形態において、研磨用品、例えば孔あき研磨用品と補助工具との間に使用される接合パッドは、複数の開口を画定する研磨用品裏当て面と；研磨用品裏当て面の下に重なるチャネル保持層であって、複数の開口のうちの少なくとも２つと流体連通する少なくとも１本のチャネルを画定するチャネル保持層と；チャネル保持層の下に重なる補助工具裏当て面とを備え得る。
【００１０】
本発明はまた、研磨用品と、本明細書に記載されるとおりの接合パッドと、補助工具とを備える研磨工具にも関する。例えば、一実施形態において、研磨工具は、第１の複数の開口を画定する孔あき研磨用品と；接合パッドであって、（ｉ）第２の複数の開口を画定する研磨用品裏当て面と；（ｉｉ）研磨用品裏当て面の下に重なる複数の島部であって、第２の複数の開口のうちの少なくとも２つと流体連通する少なくとも１本のチャネルを画定する島部と；（ｉｉｉ）複数の島部の下に重なる補助工具裏当て面とを備える接合パッドと；第３の複数の開口を画定する補助工具とを備え；接合パッドは、孔あき研磨用品と補助工具との間に位置決め可能である。
【００１１】
別の例示的実施形態において、研磨工具は、第１の複数の開口を画定する孔あき研磨用品と；接合パッドであって、（ｉ）第２の複数の開口を画定する研磨用品裏当て面と；（ｉｉ）研磨用品裏当て面の下に重なるチャネル保持層であって、第２の複数の開口のうちの少なくとも２つと流体連通する少なくとも１本のチャネルを画定するチャネル保持層と；（ｉｉｉ）チャネル保持層の下に重なる補助工具裏当て面とを備える接合パッドと；第３の複数の開口を画定する補助工具とを備え；接合パッドは、孔あき研磨用品と補助工具との間に位置決め可能である。
【００１２】
研磨用品と補助工具との間に本明細書に記載される接合パッドを使用することにより、それまで特定の補助工具と共に使用するときに、例えば、研磨用品の穿孔を補助工具の集塵穴と十分に整列させることが困難又は不可能であったために効力を有しなかった研磨用品が、今や有効に使用することができる。接合パッドは、粉塵の流れを加工面から払い除け、接合パッドを介して、補助工具により提供される集塵システムに入れることを可能とすることにより、研磨用品と補助工具との間に機能的な接合面を提供し得る。本明細書に記載される接合パッドは、特定の構成の開口を有する研磨用品と、異なる構成の集塵開口を有する補助工具との間に接合パッドを使用することができるように構成された、開口及び少なくとも１本のチャネルを含む。場合によっては、本明細書に記載される接合パッドは、任意の孔あき研磨用品と、除塵が可能な任意の補助工具との間に使用することができる。また、本発明を実施することにより、工具を永久的に改造することなく、既存の工具に除塵性の向上をもたらすことができる。
【００１３】
場合によっては、接合パッドは、接合パッドの開口が研磨用品又は補助工具の開口と完全には整列しなくともよいように構成される。接合パッドがこのように構成されるとき、接合パッドの使用者は、接合パッドを研磨用品又は補助工具と厳密に位置合わせすることに注意を払う必要がない。開口を正確に整列させることなく有効な研磨が可能なことにより、本発明は、使用者の誤操作による影響を小さくすることに役立つとともに、商業利用では、ダウンタイムを削減し、且つ一貫した研磨性能を維持することによって効率性を向上させることに役立つ。
【００１４】
一実施形態において、この接合パッドは、特定の普通の面、掴み面又は接着面を有する補助工具裏当て面及び研磨用品裏当て面を備えることにより、普通の面、掴み面又は接着面を有する補助工具を、普通の面、掴み面又は接着面に変えるように構成することができる。例えば、一実施形態において、普通の面を有する補助工具は、接着剤で被覆された補助工具裏当て面とフック面ファスナの研磨用品裏当て面とを有する接合パッドを使用することにより、ループ面ファスナを有する研磨用品と共に使用することができる。このように、本発明を実施することにより、多様な研磨用品を多様な補助工具と共に使用することができる。
【００１５】
一実施形態において、本発明は、図に示され、且つ上記に説明されるとおりの、少なくとも１つの開口を画定し、且つ研磨面と裏当て面とを備える孔あき研磨用品を備えるキットである。このキットはまた、研磨用品の裏当て面に固定可能な少なくとも１つの接合パッドも備える。特定の実施形態において、孔あき研磨用品は、少なくとも２つの開口を画定する。場合により、キットは少なくとも１つの接合パッドを備え、これは、接合パッドが裏当て面に固着されたときに、補助工具の裏当て面を接合パッドに付着させたときの研磨用品の穿孔の少なくとも一部分を互いに流体連通させる開口を画定する。別の選択肢としては、キットは少なくとも２つの接合パッドを備えてもよく、これらは、裏当て面に固着され、且つ補助工具を接合パッドに付着させたときに、研磨用品の少なくとも２つの開口の間に流体連通を提供する少なくとも１本の管路を画定する。
【００１６】
本発明はまた、少なくとも１つの孔あき研磨用品（例えば、孔あき研磨布紙）と少なくとも１つの接合パッドとを含むキットを含み得る。キットは、例えば、（ａ）少なくとも１つの孔あき研磨用品と、（ｂ）少なくとも１つの接合パッドであって、各々が、（ｉ）第２の複数の開口を画定する研磨用品裏当て面と；（ｉｉ）研磨用品裏当て面の下に重なる複数の島部であって、第２の複数の開口のうちの少なくとも２つと流体連通する少なくとも１本のチャネルを画定する島部と；（ｉｉｉ）複数の島部の下に重なる補助工具裏当て面とを備える接合パッドとを備えてもよく；少なくとも１つの接合パッドは、少なくとも１つの孔あき研磨用品と、第３の複数の開口を画定する補助工具との間に位置決め可能である。
【００１７】
本発明はまた、孔あき研磨用品（例えば、孔あき研磨布紙品）を補助工具と共に使用する方法も含む。例えば、第１の複数の開口を画定する孔あき研磨用品を、第２の複数の開口を画定する補助工具と共に使用する方法は、本明細書に記載される接合パッドを孔あき研磨用品と補助工具との間に位置決めすることを含み得る。
【００１８】
本発明はまた、本明細書に記載される研磨工具を使用して表面を研磨する方法も含む。例えば、いくつかの実施形態において、加工面に研磨工具を接触させ、削り屑が生じる。削り屑は、研磨用品から接合パッドを通じて補助工具に送り込むことができる。
【００１９】
本発明の接合パッドを使用して、研磨用品を、これまで少なくとも部分的に適合しなかった補助工具とつなぎ合わせることができるため、この接合パッドを使用すると、使用者が手元に揃えておかなければならない研磨用品又は補助工具のストックを減らすことができる。加えて、この接合パッドは、汎用的な相互の適合性を提供することができるため、交換用の研磨用品及び補助工具を供給する店舗は、研磨用品又は補助工具について抱える在庫品目を減らすことができる。
【００２０】
以上の記載は、添付の図面に示されるとおりの、以下の本発明の例示的実施形態のさらに詳細な説明から明らかとなるであろう。図面では、種々の図の全てにわたり、同様の参照符号は同じ部分を参照する。図面は必ずしも一定の尺度とは限らず、むしろ、本発明の実施形態を説明することに重点が置かれている。
【図面の簡単な説明】
【００２１】
【図１】本発明の一実施形態に係る接合パッドの斜視図である。
【図２Ａ】本発明の一実施形態に係る接合パッドの斜視図である。補助工具裏当て面の図である。
【図２Ｂ】本発明の一実施形態に係る接合パッドの斜視図である。研磨用品裏当て面の図である。
【図３Ａ】本発明の一実施形態に係る接合パッドの図であり、補助工具裏当て面が円弧形開口を備える。補助工具裏当て面の図を含む。
【図３Ｂ】本発明の一実施形態に係る接合パッドの図であり、補助工具裏当て面が円弧形開口を備える。補助工具裏当て面の図を含む。
【図３Ｃ】本発明の一実施形態に係る接合パッドの図であり、補助工具裏当て面が円弧形開口を備える。研磨用品裏当て面の図を含む。
【図３Ｄ】本発明の一実施形態に係る接合パッドの図であり、補助工具裏当て面が円弧形開口を備える。研磨用品裏当て面の図を含む。
【図４Ａ】本発明の別の実施形態に係る接合パッドの図である。補助工具裏当て面の図を含む。
【図４Ｂ】本発明の別の実施形態に係る接合パッドの図である。補助工具裏当て面の図を含む。
【図４Ｃ】本発明の別の実施形態に係る接合パッドの図である。研磨用品裏当て面の図を含む。
【図４Ｄ】本発明の別の実施形態に係る接合パッドの図である。研磨用品裏当て面の図を含む。
【図５Ａ】本発明の別の実施形態に係る接合パッドの図である。補助工具裏当て面の図を含む。
【図５Ｂ】本発明の別の実施形態に係る接合パッドの図である。補助工具裏当て面の図を含む。
【図５Ｃ】本発明の別の実施形態に係る接合パッドの図である。研磨用品裏当て面の図を含む。
【図５Ｄ】本発明の別の実施形態に係る接合パッドの図である。研磨用品裏当て面の図を含む。
【図６Ａ】一実施形態に係る接合パッドの一部分の断面図である。チャネル保持層の図を含む。
【図６Ｂ】一実施形態に係る接合パッドの一部分の断面図である。研磨用品裏当て面の図を含む。
【図６Ｃ】一実施形態に係る接合パッドの一部分の断面図である。研磨用品裏当て面の図を含む。
【図７Ａ】別の実施形態に係る接合パッドの一部分の断面図である。チャネル保持層の図を含む。
【図７Ｂ】別の実施形態に係る接合パッドの一部分の断面図である。チャネル保持層の図を含む。
【図７Ｃ】別の実施形態に係る接合パッドの一部分の断面図である。研磨用品裏当て面の図を含む。
【図７Ｄ】別の実施形態に係る接合パッドの一部分の断面図である。研磨用品裏当て面の図を含む。
【図８】保留
【図９】本発明の一実施形態に係る接合パッドの図であり、補助工具裏当て面が円弧形開口を備える。
【図１０Ａ】本発明の一実施形態に係る部分的に作製された接合パッドの断面図である。
【図１０Ｂ】本発明の一実施形態に係る部分的に作製された接合パッドの断面図である。
【図１１】別の部分的に作製された接合パッドであり、これは、本発明の一実施形態に係る図１０Ａ及び図１０Ｂの部分的に作製された接合パッドを含む。
【図１２Ａ】本発明の一実施形態に係る接合パッドの図である。
【図１２Ｂ】本発明の一実施形態に係る接合パッドの図である。
【図１３Ａ】本発明の一実施形態に係る接合パッドの図である。
【図１３Ｂ】本発明の一実施形態に係る接合パッドの図である。
【図１４Ａ】本発明の一実施形態に係るキットの図である。
【図１４Ｂ】本発明の一実施形態に係るキットの図である。
【発明を実施するための形態】
【００２２】
本発明の例示的実施形態の説明が以下に続く。
【００２３】
一実施形態において、孔あき研磨用品と補助工具との間に使用される接合パッドは、（ａ）複数の開口を画定する研磨用品裏当て面と；（ｂ）研磨用品裏当て面の下に重なる複数の島部であって、複数の開口のうちの少なくとも２つと流体連通する少なくとも１本のチャネルを画定する島部と；（ｃ）複数の島部の下に重なる補助工具裏当て面とを備える。
【００２４】
「研磨用品裏当て面」とは、この語句が本明細書で使用されるとき、研磨用品を固定することのできる裏当て面を指す。研磨用品裏当て面は、例えば、普通の面、掴み面、例えば面ファスナシステムなど、又は接着面であってよい。研磨用品裏当て面は、特定の型の研磨用品に固着するのに適したものであり得る。従って、一実施形態において、研磨用品がフック面ファスナ又はループ面ファスナ部品を備え、研磨用品裏当て面は、適合するフック面ファスナ又はループ面ファスナ部品を備える。別の実施形態において、接合パッドは、研磨用品に対して機械的に（例えば、中心のナットとねじ切りされたスピンドルとのシステムなどの締結具を介して）固定されるよう意図され、研磨用品裏当て面は普通の面を備える。一実施形態において、研磨用品裏当て面は凹部又は突起を備え、それらが研磨用品の凹部又は突起にそれぞれ対応しているため、接合パッドが研磨用品に対して移動したり、又は回転したりすることが防止される。
【００２５】
いくつかの実施形態において、研磨用品裏当て面は、研磨用品の支持パッドに用いられる当該技術分野において公知の様々な材料のいずれかを含む。いくつかの実施形態において、研磨用品裏当て面は、ポリマー材料、例えばポリウレタンを含む。例えば、研磨用品裏当て面は、ポリマー発泡体、例えばポリウレタンフォームを含んでもよい。ポリマー発泡体は、独立気泡ポリマー発泡体であっても、又は開放気泡ポリマー発泡体であってもよい。いくつかの実施形態において、研磨用品裏当て面は、ゴム（天然若しくは合成）又はゴム状材料を含む。
【００２６】
一実施形態において、研磨用品裏当て面は複数の開口を画定する。用語「開口」は、本明細書で使用されるとき、穴などの開いた部分、例えば、円形、矩形、三角形、又は円環形の開いた部分を指す。開口はまた、細長い穴も含み得る。例えば、開口は円弧形状であってもよい。
【００２７】
場合によっては、研磨用品裏当て面の複数の開口の少なくとも一部分は、孔あき研磨用品の穿孔の少なくとも一部分と整列するように位置決めされる。研磨用品裏当て面はまた、十分な大きさの、ほぼどの孔あき研磨用品の穿孔の少なくとも一部分とも整列するよう構成された多数の開口も含み得る。
【００２８】
研磨用品裏当て面によって画定される開口は、研磨用品裏当て面に関して対称に配置され得る。裏当て面は、１本又は複数の対称軸に関してほぼ対称な開口を備え得る。例えば、ディスク形状の研磨用品裏当て面が、半径方向にほぼ対称な開口（例えば、円形、矩形、三角形、円環形、細長形、又は円弧形の開口）を備えてもよい。矩形の裏当て面が、例えば、長手方向対称軸に関してほぼ対称な開口を備えることもできる。
【００２９】
接合パッドはまた、研磨用品裏当て面の下に重なる複数の島部も備え得る。用語「島部」は、本明細書で使用されるとき、他の構造と側方が直接接触することがほとんど又は全くない構造を指す。用語「島部」は、円環形構造を含む。島部は、研磨用品裏当て面によって画定される複数の開口のうちの少なくとも２つと流体連通する少なくとも１本のチャネルを画定する。好ましくは、開口及びチャネルは、研磨加工中に生じた削り屑が研磨用品裏当て面の開口、さらにチャネルを通じて効果的に運び出され、補助工具の除塵システムに達することができるように構成される。
【００３０】
研磨用品裏当て面の下に重なる複数の島部は、研磨用品裏当て面の周囲の下に重なる島部を備え得る。場合によっては、研磨用品裏当て面はディスク形状であり、研磨用品裏当て面の下に重なる複数の島部は、ディスク形状の研磨用品裏当て面の周囲（すなわち、外周）の下に重なるほぼ円環形の島部を含む。研磨用品裏当て面の周囲の下に重なる島部は、研磨用品裏当て面の下に重なり、且つ概して接合パッドの周囲から接合パッドの中心に向かって延在する少なくとも１つの半島部を備え得る。いくつかの実施形態において、研磨用品裏当て面の下に重なる１つ又は複数の半島部は、研磨用品裏当て面によって画定される複数の開口のうちの少なくとも２つと流体連通するチャネルを画定する。
【００３１】
一実施形態において、複数の島部は、研磨用品裏当て面の複数の開口の各々と流体連通する複数のチャネルを画定する。これらのチャネルは、相互に連結されていても、又は連結されていなくともよい。従って、いくつかの実施形態において、複数の島部はまた、少なくとも２本の他のチャネルと流体連通する少なくとも１本の連結チャネルも画定する。場合によっては、複数の開口は、単一のチャネルを介して流体連通する。例えば、いくつかの実施形態において、２、３、４、５つ、又はそれ以上の開口が、単一のチャネルを介して流体連通する。従って、少なくとも１本のチャネルが、研磨用品裏当て面によって画定される開口のうち３つ以上と流体連通してもよい。いくつかの実施形態において、研磨用品裏当て面によって画定される開口の大多数又は実質的に全てが、島部によって画定される少なくとも１本のチャネルを介して互いに流体連通する。他の実施形態において、研磨用品裏当て面によって画定される開口の全てが、島部によって画定される少なくとも１本のチャネルを介して互いに流体連通する。
【００３２】
好ましくは、少なくとも１本のチャネルは蛇行していない。例えば、少なくとも１本のチャネルはほぼ直線状であり、大きい捻れ、折れ、又は曲がりを有しない。一実施形態において、少なくとも１本のチャネルは蛇行しておらず、そのチャネルは、捻れ、折れ、又は曲がりを含まず、それらを人の肉眼で見ることはできない。しかしながら、本明細書で使用されるとき、用語「蛇行していない」は、ほぼ直線状の分岐チャネルのシステムを除外することを意図するものではない。特定の一実施形態において、複数の島部は少なくとも１本の分岐チャネルを画定する。別の実施形態において、複数の島部は、分岐チャネル及び直線チャネルの双方を画定する。
【００３３】
一実施形態において、接合パッドはディスク形状であり、複数の島部は、研磨用品裏当て面の下に重なる同心の隆起を備える。かかる実施形態において、島部のうちの少なくともいくつかは、ほぼ円環形で、同心状に配置される。いくつかのディスク形状の接合パッドにおいては、複数の島部が複数の同心チャネルを画定する。例えば、場合によっては、複数の島部が同心の隆起を備え、それらが複数の同心チャネルを画定する。ディスク形状の接合パッドはまた、少なくとも２本の同心チャネルと流体連通する少なくとも１本の連結チャネルも画定する複数の島部も備え得る。例えば、ディスク形状の接合パッドは、少なくとも２本の同心チャネルと流体連通するほぼ半径方向に延在するチャネルを画定する島部を備え得る。
【００３４】
複数の島部によって画定されるチャネルは、接合パッドに関して対称に配置され得る。例えば、ディスク形状の接合パッドは、パッドの中心に関してほぼ対称なチャネルを備え得る。他の実施形態において、接合パッドは、１本又は複数の対称軸に関してほぼ対称なチャネルを備え得る。例えば、矩形の接合パッドが、少なくとも長手方向対称軸に関してほぼ対称なチャネルを備えることもできる。チャネルの対称性は、使用中に回転するよう意図された接合パッドについては、使用中に接合パッドが不安定になることを防止したり、又は最小限に抑えたりするために、特に重要となり得る。
【００３５】
一実施形態において、島部によって画定される少なくとも１本のチャネルは、補助工具によって画定される少なくとも１つの集塵開口と整列するように位置決めされる。例えば、一実施形態において、接合パッドは同心チャネルを備え、少なくとも１本の同心チャネルが、半径方向において、補助工具によって画定される集塵開口と整列するように位置決めされる。
【００３６】
複数の島部は、研磨用品の支持パッドに用いられる当該技術分野において公知の様々な材料のいずれかを含み得る。いくつかの実施形態において、島部は、ポリマー材料、例えばポリウレタンを含む。例えば、島部は、ポリマー発泡体、例えばポリウレタンフォームを含んでもよい。ポリマー発泡体は、独立気泡ポリマー発泡体であっても、又は開放気泡ポリマー発泡体であってもよい。いくつかの実施形態において、島部は、ゴム（天然若しくは合成）又はゴム状材料を含む。それに加えて、又はそれに代えて、複数の島部は、少なくとも１つの紙、木材、金属、若しくはプラスチック材料、又はそれらの組み合わせを含み得る。場合によっては、より軟質の材料が好ましく、剛性の高い材料より優れている。いくつかの実施形態において、研磨用品裏当て面及び島部の双方が同じ材料を含む。
【００３７】
場合によっては、研磨用品裏当て面と複数の島部とは、互いに直接隣接する。研磨用品裏当て面及び複数の島部は、１つ又は複数の材料をモールド成形することによって一体化した研磨用品裏当て面／島部構造を形成するなどして、一体化した研磨用品裏当て面／島部構造を形成するように作製することができる。いくつかの実施形態において、研磨用品裏当て面及び複数の島部は、１つ又は複数の材料素材を機械加工することによって作られる。
【００３８】
研磨用品裏当て面及び複数の島部は別個に形成され、それから一体に接着されてもよい。例えば、複数の島部は、接着剤によって研磨用品裏当て面と結合することができる。多くの接着剤が当該技術分野において公知であり、本願に好適である。好ましい実施形態において、接着剤は、耐熱性であるか、耐剪断性であるか、又はその両方の性質をもつ。接着剤はまた、島部又は裏当て面の形成に用いられる材料と適合するものでなければならない。好適な接着剤の例としては、コンタクト型接着剤、シアノアクリレート接着剤などのアクリル接着剤、及びエポキシ接着剤を挙げることができる。
【００３９】
一実施形態において、接合パッドは、研磨用品裏当て面の下に重なるチャネル保持層を備え、この層は複数の島部を備える。複数の島部は少なくとも１本のチャネルを画定する。場合によっては、チャネル保持層は基材を備えてもよく、その上に複数の島部が固定される。チャネル保持層は、研磨用品裏当て面に固着されてもよく、又は研磨用品裏当て面と一体化されてもよい。
【００４０】
接合パッドはまた、補助工具裏当て面も含む。「補助工具裏当て面」とは、この語句が本明細書で使用されるとき、補助工具を固定することのできる裏当て面を指す。補助工具裏当て面は、例えば、普通の面、掴み面、又は接着面であってよい。補助工具裏当て面は、特定の型の補助工具に固着するのに適したものであり得る。従って、一実施形態において、補助工具がフック面ファスナ又はループ面ファスナ部品を備え、補助工具裏当て面は、適合するフック面ファスナ又はループ面ファスナ部品を備える。別の実施形態において、接合パッドは、補助工具に対して機械的に（例えば、中心のナットとボルトとのシステムなどの締結具を介して）固定されるよう意図され、補助工具裏当て面は普通の面を備える。一実施形態において、補助工具裏当て面は凹部又は突起を備え、それらは補助工具の凹部又は突起にそれぞれ対応していて、接合パッドが補助工具に対して移動したり、又は回転したりすることが防止される。
【００４１】
補助工具裏当て面は、研磨用品支持パッドに用いられる当該技術分野において公知の様々な材料のいずれかを含み得る。いくつかの実施形態において、補助工具裏当て面は、ポリマー材料、例えばポリウレタンを含む。例えば、補助工具裏当て面は、ポリマー発泡体、例えばポリウレタンフォームを含んでもよい。ポリマー発泡体は、独立気泡ポリマー発泡体であっても、又は開放気泡ポリマー発泡体であってもよい。いくつかの実施形態において、補助工具裏当て面は、ゴム（天然若しくは合成）又はゴム状材料を含む。それに加えて、又はそれに代えて、補助工具裏当て面は、少なくとも１つの紙、木材、金属、若しくはプラスチック材料、又はそれらの組み合わせを含み得る。場合によっては、より軟質の材料が好ましく、剛性の高い材料より優れている。いくつかの実施形態において、補助工具裏当て面及び島部の双方が同じ材料を含む。例えば、いくつかの実施形態において、研磨用品裏当て面、島部、及び補助工具裏当て面が、同じ材料を含む。
【００４２】
場合によっては、補助工具裏当て面と複数の島部とは、互いに直接隣接する。補助工具裏当て面及び複数の島部は、１つ又は複数の材料をモールド成形することにより一体化した補助工具裏当て面／島部構造を形成するなどして、一体化した補助工具裏当て面／島部構造を形成するように作製することができる。いくつかの実施形態において、補助工具裏当て面は、複数の島部の少なくとも１つの表面にモールド成形され得る。例えば、フック面ファスナ又はループ面ファスナ部品を複数の島部の少なくとも１つの表面にモールド成形することにより、補助工具裏当て面を形成することができる。或いは、フック面ファスナ又はループ面ファスナ部品を複数の島部の少なくとも１つの表面にラミネート加工するか、又は接着することにより、補助工具裏当て面を形成してもよい。
【００４３】
いくつかの実施形態において、補助工具裏当て面及び複数の島部は、１つ又は複数の材料素材を機械加工することによって作られる。補助工具裏当て面及び複数の島部は、別個に形成され、それから一体に接着されてもよい。例えば、複数の島部は、接着剤によって補助工具裏当て面と結合することができる。多くの接着剤が当該技術分野において公知であり、本願に好適である。好ましい実施形態において、接着剤は、耐熱性であるか、耐剪断性であるか、又はその両方の性質をもつ。接着剤はまた、島部又は裏当て面の形成に用いられる材料と適合するものでなければならない。好適な接着剤の例としては、コンタクト型接着剤、シアノアクリレート接着剤などのアクリル接着剤、及びエポキシ接着剤を挙げることができる。一実施形態では、研磨用品裏当て面／島部構造を形成して補助工具裏当て面に接着することにより、接合パッドが形成される。別の実施形態では、補助工具裏当て面／島部構造を形成して研磨用品裏当て面に接着することにより、接合パッドが形成される。
【００４４】
一実施形態において、研磨用品裏当て面の下に重なる複数の島部は、研磨用品裏当て面の周囲の下に重なる島部を備えてもよく、及び補助工具裏当て面は、少なくとも研磨用品裏当て面の周囲の下に重なる島部の下に重なり、それに固着される。
【００４５】
補助工具裏当て面は、ある開口、いくつかの実施形態においては複数の開口を画定し得る。場合によっては、補助工具裏当て面の少なくとも１つの開口は、補助工具によって画定される少なくとも１つの開口（例えば、集塵開口）と整列するように位置決めされる。補助工具裏当て面はまた、十分な大きさの、ほぼどの補助工具の開口の少なくとも一部分とも整列するよう構成された多数の開口も含み得る。
【００４６】
補助工具裏当て面によって画定される開口は、補助工具裏当て面に関して対称に配置され得る。裏当て面は、１本又は複数の対称軸に関してほぼ対称な開口を備え得る。例えば、ディスク形状の補助工具裏当て面が、半径方向にほぼ対称な開口（例えば、円形、矩形、三角形、円環形、細長形、又は円弧形の開口）を備えてもよい。矩形の裏当て面が、例えば、長手方向対称軸に関してほぼ対称な開口を備えることもできる。
【００４７】
一実施形態において、複数の島部は、補助工具裏当て面によって画定される複数の開口と流体連通する少なくとも１本のチャネルを画定する。複数の島部はまた、補助工具裏当て面の複数の開口の各々と流体連通する複数のチャネルも画定し得る。場合によっては、複数の開口は、単一のチャネルを介して流体連通する。例えば、いくつかの実施形態において、２、３、４、５つ、又はそれ以上の開口が、単一のチャネルを介して流体連通する。従って、少なくとも１本のチャネルが、補助工具裏当て面によって画定される開口のうち３つ以上と流体連通してもよい。いくつかの実施形態において、補助工具裏当て面によって画定される開口の大多数又は実質的に全てが、島部によって画定される少なくとも１本のチャネルを介して互いに流体連通する。他の実施形態において、補助工具裏当て面によって画定される開口の全てが、島部によって画定される少なくとも１本のチャネルを介して互いに流体連通する。
【００４８】
本発明はまた、孔あき研磨用品と補助工具との間に使用される接合パッドも含み、これは、（ａ）第１の複数の開口を画定する研磨用品裏当て面と；（ｂ）研磨用品裏当て面の周囲の下に重なる第１の補助構造と；（ｃ）研磨用品裏当て面の下に重なる少なくとも１つの追加的な補助構造であって、第１の複数の開口のうちの少なくとも２つと流体連通する少なくとも１本のチャネルを画定する少なくとも１つの追加的な補助構造と；（ｄ）第２の複数の開口を画定する補助工具裏当て面であって、少なくとも第１の補助構造の下に重なり、且つそこに固着される補助工具裏当て面とを備え、少なくとも１本のチャネルは、第２の複数の開口のうちの少なくとも２つとも流体連通する。
【００４９】
かかる接合パッドは、研磨用品裏当て面の周囲の下に重なる第１の補助構造を備える。第１の補助構造は、例えば、研磨用品裏当て面の周囲の下に重なる島部又は隆起などの円環形構造を備え得る。一実施形態において、研磨用品裏当て面はディスク形状であり、研磨用品裏当て面の下に重なる第１の補助構造は、ディスク形状の研磨用品裏当て面の周囲（すなわち、外周）の下に重なるほぼ円環形の構造を含む。
【００５０】
この接合パッドはまた、研磨用品裏当て面の下に重なる少なくとも１つの追加的な補助構造も備える。少なくとも１つの追加的な補助構造は、例えば、島部、半島部、及びそれらの組み合わせからなる群から選択され得る。少なくとも１つの追加的な補助構造は、第１の複数の開口のうちの少なくとも２つと流体連通する少なくとも１本のチャネルを画定する。
【００５１】
追加的な補助構造は、少なくとも１つの島部を備え得る。島部の構造及び構成は、上記に記載されるとおりであり得る。
【００５２】
追加的な補助構造は、研磨用品裏当て面の下に重なり、且つ概して第１の補助構造から接合パッドの中心に向かって延在する少なくとも１つの半島部を備え得る。この半島部は、第１の補助構造に直接隣接してもよく、第１の補助構造と一体化されてもよく、別の補助構造に直接隣接してもよく、又は別の補助構造と一体化されてもよい。半島部は、上記に記載されるような、島部と同様の構造及び構成を有し得る。
【００５３】
補助構造（例えば、第１の補助構造及び少なくとも１つの追加的な補助構造）は、接合パッドに関して対称に配置され得る。例えば、ディスク形状の接合パッドが、パッドの中心に関してほぼ対称な補助構造を備えてもよい。他の実施形態において、接合パッドは、１本又は複数の対称軸に関してほぼ対称な補助構造を備え得る。例えば、矩形の接合パッドが、少なくとも長手方向対称軸に関してほぼ対称な補助構造を備えることもできる。一実施形態において、少なくとも１つの追加的な補助構造は、互いに対して対称に位置決めされた複数の追加的な補助構造を備える。
【００５４】
少なくとも１つの追加的な補助構造は、第１の複数の開口のうちの少なくとも２つ及び第２の複数の開口のうちの少なくとも２つと流体連通する少なくとも１本のチャネルを（少なくとも部分的に）画定する。好ましくは、開口及びチャネルは、研磨加工中に生じた削り屑が、研磨用品裏当て面の開口から、チャネル、さらに補助工具裏当て面の開口を通じて効果的に運び出され、補助工具の除塵システムに達することができるように構成され得る。
【００５５】
一実施形態において、補助構造（例えば、第１の補助構造及び少なくとも１つの追加的な補助構造）は、第１の複数の開口の各々及び第２の複数の開口の各々と流体連通する複数のチャネルを画定する。これらのチャネルは、相互に連結されていても、又は連結されていなくともよい。従って、いくつかの実施形態において、補助構造はまた、少なくとも２本の他のチャネルと流体連通する少なくとも１本の連結チャネルも画定する。場合によっては、第１又は第２の複数の開口の１つ又は複数は、単一のチャネルを介して流体連通する。例えば、いくつかの実施形態において、２、３、４、５つ、又はそれ以上の開口が、単一のチャネルを介して流体連通する。従って、少なくとも１本のチャネルが、第１の複数の開口のうち３つ以上の開口か、第２の複数の開口のうち３つ以上の開口か、又は第１及び第２の複数の開口のうち３つ以上の開口と流体連通してもよい。一実施形態において、第１の複数の開口及び第２の複数の開口の全てが、補助構造によって画定される少なくとも１本のチャネルを介して互いに流体連通する。
【００５６】
好ましくは、少なくとも１本のチャネルは蛇行していない。例えば、少なくとも１本のチャネルはほぼ直線状であり、大きい捻れ、折れ、又は曲がりを有しない。一実施形態において、少なくとも１本のチャネルは蛇行しておらず、そのチャネルは、捻れ、折れ、又は曲がりを含まず、それらを人の肉眼で見ることはできない。しかしながら、本明細書で使用されるとき、用語「蛇行していない」は、ほぼ直線状の分岐チャネルのシステムを除外することを意図するものではない。特定の一実施形態において、補助構造は少なくとも１本の分岐チャネルを画定する。別の実施形態において、補助構造は、分岐チャネル及び直線チャネルの双方を画定する。
【００５７】
補助構造によって画定されるチャネルは、接合パッドに関して対称に配置され得る。例えば、ディスク形状の接合パッドは、パッドの中心に関してほぼ対称なチャネルを備え得る。他の実施形態において、接合パッドは、１本又は複数の対称軸に関してほぼ対称なチャネルを備え得る。例えば、矩形の接合パッドが、少なくとも長手方向対称軸に関してほぼ対称なチャネルを備えることもできる。
【００５８】
別の実施形態において、孔あき研磨用品と補助工具との間に使用される接合パッドは、（ａ）複数の開口を画定する研磨用品裏当て面と；（ｂ）研磨用品裏当て面の下に重なるチャネル保持層であって、複数の開口のうちの少なくとも２つと流体連通する少なくとも１本のチャネルを画定するチャネル保持層と；（ｃ）チャネル保持層の下に重なる補助工具裏当て面とを備え得る。
【００５９】
この実施形態は、研磨用品裏当て面の下に重なるチャネル保持層を含む。チャネル保持層は、研磨用品裏当て面の複数の開口のうちの少なくとも２つと流体連通する少なくとも１本のチャネルを画定する。好ましくは、研磨用品裏当て面の開口及び少なくとも１本のチャネルは、研磨加工中に生じた削り屑が、研磨用品裏当て面の開口、さらにチャネルを通じて効果的に運び出され、補助工具の除塵システムに達することができるように構成される。
【００６０】
チャネル保持層は、上記にさらに詳しく記載されるような、１つ又は複数の島部を備え得る。例えば、チャネル保持層は、研磨用品裏当て面の周囲の下に重なる島部を備え得る。場合によっては、研磨用品裏当て面はディスク形状であり、チャネル保持層は、ディスク形状の研磨用品裏当て面の周囲（すなわち、外周）の下に重なるほぼ円環形の島部を備える。研磨用品裏当て面の周囲の下に重なる島部は、研磨用品裏当て面の下に重なり、且つ概して接合パッドの周囲から接合パッドの中心に向かって延在する少なくとも１つの半島部を備え得る。いくつかの実施形態において、チャネル保持層における１つ又は複数の半島部は、研磨用品裏当て面の複数の開口のうちの少なくとも２つと流体連通するチャネルを画定する。
【００６１】
一実施形態において、チャネル保持層は、研磨用品裏当て面の複数の開口の各々と流体連通する複数のチャネルを画定する。これらのチャネルは、相互に連結されていても、又は連結されていなくともよい。従って、いくつかの実施形態において、チャネル保持層はまた、少なくとも２本の他のチャネルと流体連通する少なくとも１本の連結チャネルも画定する。場合によっては、複数の開口は、単一のチャネルを介して流体連通する。例えば、いくつかの実施形態において、２、３、４、５つ、又はそれ以上の開口が、単一のチャネルを介して流体連通する。従って、少なくとも１本のチャネルが、研磨用品裏当て面によって画定される開口のうち３つ以上と流体連通してもよい。いくつかの実施形態において、研磨用品裏当て面によって画定される開口の大多数又は実質的に全てが、チャネル保持層によって画定される少なくとも１本のチャネルを介して互いに流体連通する。他の実施形態において、研磨用品裏当て面によって画定される開口の全てが、チャネル保持層によって画定される少なくとも１本のチャネルを介して互いに流体連通する。
【００６２】
好ましくは、少なくとも１本のチャネルは蛇行していない。例えば、少なくとも１本のチャネルはほぼ直線状であり、大きい捻れ、折れ、又は曲がりを有しない。一実施形態において、少なくとも１本のチャネルは蛇行しておらず、そのチャネルは、捻れ、折れ、又は曲がりを含まず、それらを人の肉眼で見ることはできない。しかしながら、本明細書で使用されるとき、用語「蛇行していない」は、ほぼ直線状の分岐チャネルのシステムを除外することを意図するものではない。特定の一実施形態において、チャネル保持層は少なくとも１本の分岐チャネルを画定する。別の実施形態において、チャネル保持層は、分岐チャネル及び直線チャネルの双方を画定する。
【００６３】
一実施形態において、接合パッドはディスク形状であり、チャネル保持層は、研磨用品裏当て面の下に重なる同心の島部又は隆起を備える。かかる実施形態において、島部又は隆起のうちの少なくともいくつかは、ほぼ円環形で、同心状に配置される。いくつかのディスク形状の接合パッドにおいては、チャネル保持層が複数の同心チャネルを画定する。例えば、場合によっては、チャネル保持層が同心の隆起を備え、それらが複数の同心チャネルを画定する。ディスク形状の接合パッドはまた、少なくとも２本の同心チャネルと流体連通する少なくとも１本の連結チャネルも画定するチャネル保持層も備え得る。例えば、ディスク形状の接合パッドは、少なくとも２本の同心チャネルと流体連通するほぼ半径方向に延在するチャネルを画定するチャネル保持層を備え得る。
【００６４】
チャネル保持層によって画定されるチャネルは、接合パッドに関して対称に配置され得る。例えば、ディスク形状の接合パッドは、パッドの中心に関してほぼ対称なチャネルを備え得る。他の実施形態において、接合パッドは、１本又は複数の対称軸に関してほぼ対称なチャネルを備え得る。例えば、矩形の接合パッドが、少なくとも長手方向対称軸に関してほぼ対称なチャネルを備えることもできる。
【００６５】
一実施形態において、チャネル保持層によって画定される少なくとも１本のチャネルは、補助工具によって画定される少なくとも１つの集塵開口と整列するように位置決めされる。例えば、一実施形態において、チャネル保持層は同心チャネルを備え、少なくとも１本の同心チャネルが、半径方向において、補助工具によって画定される集塵開口と整列するように位置決めされる。
【００６６】
チャネル保持層は、研磨用品の支持パッドに用いられる当該技術分野において公知の様々な材料のいずれかを含み得る。いくつかの実施形態において、チャネル保持層は、ポリマー材料、例えばポリウレタンを含む。例えば、チャネル保持層は、ポリマー発泡体、例えばポリウレタンフォームを含んでもよい。ポリマー発泡体は、独立気泡ポリマー発泡体であっても、又は開放気泡ポリマー発泡体であってもよい。いくつかの実施形態において、チャネル保持層は、ゴム（天然若しくは合成）又はゴム状材料を含む。それに加えて、又はそれに代えて、チャネル保持層は、少なくとも１つの紙、木材、金属、若しくはプラスチック材料、又はそれらの組み合わせを含み得る。場合によっては、より軟質の材料が好ましく、剛性の高い材料より優れている。いくつかの実施形態において、研磨用品裏当て面及びチャネル保持層の双方が同じ材料を含む。
【００６７】
場合によっては、チャネル保持層は基材を備えてもよく、その上に１つ又は複数のチャネル画定構造が固定される。例えば、チャネル保持層を機械加工することによって材料素材にチャネルが作られ得る。
【００６８】
或いは、チャネル保持層は、基材又は他の基板、例えば、研磨用品裏当て面又は補助工具裏当て面などの上にチャネル画定構造を形成することによって作られてもよい。
【００６９】
場合によっては、研磨用品裏当て面とチャネル保持層とは、互いに直接隣接する。研磨用品裏当て面及びチャネル保持層は、１つ又は複数の材料をモールド成形することによって一体化した研磨用品裏当て面／チャネル保持層構造を形成するなどして、一体化した研磨用品裏当て面／チャネル保持層構造を形成するように作製することができる。いくつかの実施形態において、研磨用品裏当て面及びチャネル保持層は、１つ又は複数の材料素材を機械加工することによって作られる。
【００７０】
研磨用品裏当て面及びチャネル保持層は、別個に形成され、それから一体に接着されてもよい。例えば、チャネル保持層は、接着剤によって研磨用品裏当て面と結合することができる。多くの接着剤が当該技術分野において公知であり、本願に好適である。好ましい実施形態において、接着剤は、耐熱性であるか、耐剪断性であるか、又はその両方の性質をもつ。接着剤はまた、チャネル保持層又は裏当て面の形成に用いられる材料と適合するものでなければならない。好適な接着剤の例としては、コンタクト型接着剤、シアノアクリレート接着剤などのアクリル接着剤、及びエポキシ接着剤を挙げることができる。
【００７１】
場合によっては、補助工具裏当て面とチャネル保持層とは、互いに直接隣接する。補助工具裏当て面及びチャネル保持層は、１つ又は複数の材料をモールド成形することによって一体化した補助工具裏当て面／チャネル保持層構造を形成するなどして、一体化した補助工具裏当て面／チャネル保持層構造を形成するように作製することができる。いくつかの実施形態において、補助工具裏当て面及びチャネル保持層は、１つ又は複数の材料素材を機械加工することによって作られる。
【００７２】
補助工具裏当て面及びチャネル保持層は、別個に形成され、それから一体に接着されてもよい。例えば、チャネル保持層は、接着剤によって補助工具裏当て面と結合することができる。多くの接着剤が当該技術分野において公知であり、本願に好適である。好ましい実施形態において、接着剤は、耐熱性であるか、耐剪断性であるか、又はその両方の性質をもつ。接着剤はまた、チャネル保持層又は裏当て面の形成に用いられる材料と適合するものでなければならない。好適な接着剤の例としては、コンタクト型接着剤、シアノアクリレート接着剤などのアクリル接着剤、及びエポキシ接着剤を挙げることができる。
【００７３】
一実施形態において、チャネル保持層の下に重なる補助工具裏当て面は、複数の開口を画定する。複数の開口を画定する好適な補助工具裏当て面は、上記に記載される。
【００７４】
いくつかの実施形態において、チャネル保持層は、補助工具裏当て面によって画定される複数の開口と流体連通する少なくとも１本のチャネルを画定する。チャネル保持層はまた、補助工具裏当て面の複数の開口の各々と流体連通する複数のチャネルも画定し得る。場合によっては、複数の開口は、単一のチャネルを介して流体連通する。例えば、いくつかの実施形態において、２、３、４、５つ、又はそれ以上の開口が、単一のチャネルを介して流体連通する。従って、少なくとも１本のチャネルが、補助工具裏当て面によって画定される開口のうち３つ以上と流体連通してもよい。いくつかの実施形態において、補助工具裏当て面によって画定される開口の大多数又は実質的に全てが、チャネル保持層によって画定される少なくとも１本のチャネルを介して互いに流体連通する。他の実施形態において、補助工具裏当て面によって画定される開口の全てが、チャネル保持層によって画定される少なくとも１本のチャネルを介して互いに流体連通する。
【００７５】
一般に、本明細書に記載される接合パッドの形状は、補助工具又は研磨用品の形状と適合するように選択され得る。例えば、接合パッドは、研磨用品又は補助工具とほぼ同じサイズ又は形状であり得る。いくつかの実施形態において、接合パッドは、とりわけ、ディスク形状、三辺形、四辺形、五辺形、アイロン形、又は木の葉形であってもよい。三辺形の接合パッドは、直線状、弧状、又は不規則形状の側辺を有し得る。四辺形の接合パッドは、例えば、矩形、正方形、又は菱形であってよく、直線状、弧状、又は不規則形状の側辺を有し得る。五辺形の接合パッドは、直線状、弧状、又は不規則形状の側辺を有し得る。アイロン形の接合パッドとしては五辺の多角形を挙げることができ、少なくとも２つの隣接する側辺が互いに向かって弧状に曲がっている。場合によっては、アイロン形の接合パッドは、衣服用のスチームアイロンの底板のような形状である。木の葉形の接合パッドとしては、縦方向にほぼ対称で、両側でつながった２つの弧を有するものが挙げられる。当業者は、本明細書に開示される本発明の範囲から逸脱することなく、他の形状を選択し得る。
【００７６】
いくつかの実施形態において、接合パッドの開口及びチャネルは、研磨用品と補助工具との間で接合パッドをいかなる特定の向きにも置く必要がないように構成される。この構成は、研磨用品裏当て面及び補助工具裏当て面に十分な大きさの開口を十分な数だけ設け、且つ、十分な数の開口をチャネルと連結することにより、実現することができる。当業者は、様々な研磨用品及び補助工具と共に用いられる接合パッド開口及びチャネルの構成を容易に選択することができる。好ましい実施形態において、接合パッドの開口は、各開口について、いくつかの他の接合パッド開口がごく近接するように構成される。
【００７７】
有効に機能させるうえで、研磨用品及び補助工具の開口と接合パッドの開口とが１００％整列することが厳密に必要とされることはないが、粉塵排出システムを有効に機能させるのに十分な程度には整列していなければならない。ほぼ１００％の整列が好ましいが、それよりはるかに少ない重なりであっても、それはさほど好ましくないとはいえ、効果的な機能は実現され得る。
【００７８】
本発明はまた、（ａ）第１の複数の開口を画定する孔あき研磨用品と；（ｂ）第２の複数の開口を画定する研磨用品裏当て面を備える本明細書に記載されるとおりの接合パッドと；（ｃ）第３の複数の開口を画定する補助工具とを含む研磨工具であって、接合パッドが孔あき研磨用品と補助工具との間に位置決め可能な研磨工具も含む。
【００７９】
いくつかの実施形態において、孔あき研磨用品は孔あき研磨布紙であり、この研磨用品は、第１の主表面と第２の主表面とを有し得る。第１の主表面は、砥粒、例えば、研磨粒子と、粒子を表面に接着するための結合剤とを備え得る。粒子及び結合剤は、当該技術分野において公知のもののいずれから選択されてもよく、表面上の構成は、いずれの公知の方法で提供されてもよい。第２の主表面は、概して、研磨用品を接合パッドに取り付けるための構成部品、例えば、接着剤又はフック面ファスナ若しくはループ面ファスナ部品を備える。しかしながら、場合によっては、第２の主表面は、研磨用品を取り付けるためのかかる構成部品を備えない。
【００８０】
一実施形態において、接合パッドは、（ｉ）第２の複数の開口を画定する研磨用品裏当て面と；（ｉｉ）研磨用品裏当て面の下に重なる複数の島部であって、第２の複数の開口のうちの少なくとも２つと流体連通する少なくとも１本のチャネルを画定する島部と；（ｉｉｉ）複数の島部の下に重なる補助工具裏当て面とを備える。
【００８１】
別の実施形態において、接合パッドは、（ｉ）第２の複数の開口を画定する研磨用品裏当て面と；（ｉｉ）研磨用品裏当て面の下に重なるチャネル保持層であって、第２の複数の開口のうちの少なくとも２つと流体連通する少なくとも１本のチャネルを画定するチャネル保持層と；（ｉｉｉ）チャネル保持層の下に重なる補助工具裏当て面とを備える。
【００８２】
研磨工具の様々な実施形態において、孔あき研磨用品、研磨用品裏当て面、補助工具裏当て面、又は補助工具は、フック面ファスナ又はループ面ファスナ部品を備える。いくつかの実施形態において、孔あき研磨用品、研磨用品裏当て面、補助工具裏当て面、及び補助工具は、各々が、フック面ファスナ又はループ面ファスナ部品を備える。
【００８３】
補助工具としては、概して、任意のタイプの研磨サンダー又は研磨機械を挙げることができる。例えば、補助工具としては、オービタル式、回転式、又は振動式機械を挙げることができる。
【００８４】
いくつかの実施形態において、補助工具は、集塵システムと連通する少なくとも１つの集塵開口を備える。例えば、いくつかの実施形態において、補助工具は、第３の複数の集塵開口を備える。研磨工具の一実施形態において、孔あき研磨用品と補助工具とが一体に合わされるとき、第１の複数の開口は第３の複数の開口と直接には整列することができない。例えば、第１の複数の開口は、サイズ、形状、向き、位置、又はそれらの組み合わせからなる群から選択される点において、第３の複数の開口と異なり得る。従って、接合パッドが孔あき研磨用品と補助工具との間に位置決めされると、第１の複数の開口のうちの少なくとも２つが、第２の複数の開口のうちの少なくとも２つと少なくとも部分的に整列する。
【００８５】
接合パッドは、粉塵の流れを加工面から払い除け、接合パッドの１本又は複数のチャネルを介して、補助工具により提供される集塵システムに入れることを可能とすることにより、研磨用品と補助工具との間に機能的な接合面を提供することができる。本明細書に記載される接合パッドは、特定の構成の開口を有する研磨用品と、異なる構成の集塵開口を有する補助工具との間に接合パッドを使用することができるように構成された、開口及び少なくとも１本のチャネルを含む。
【００８６】
研磨工具を有効に機能させるうえで、研磨用品及び補助工具の開口と接合パッドの開口とが１００％整列することが厳密に必要とされることはないが、粉塵排出システムを有効に機能させるのに十分な程度には整列していなければならない。ほぼ１００％の整列が好ましいが、それよりはるかに少ない重なりであっても、それはさほど好ましくないとはいえ、効果的な機能は実現され得る。
【００８７】
図１〜図１３Ｂは、本発明の様々な例示的実施形態の図面である。いくつかの実施形態において、図の説明のなかで「研磨補助裏当て面」と「補助工具裏当て面」とのいずれかの名前が付される表面は、互いに代替性を有する。
【００８８】
図１は、本発明の一実施形態に係る接合パッドの斜視図である。接合パッド１００は、開口１０６を備える研磨用品裏当て面１０４の下に重なる同心の島部１０２を備える。同心の島部１０２は、同心チャネル１０８を画定する。同心チャネル１０８は、開口１０６の一部分と流体連通する。接合パッド１００はまた中心穴１１０も備え、これを用いて接合パッドを補助工具のスピンドルに装着することができる。一実施形態において、同心の島部１０２はまた、島部の下に重なる補助工具裏当て面１１２も備える。
【００８９】
図２Ａ及び図２Ｂは、本発明の一実施形態に係る接合パッドの斜視図である。接合パッド２００は、補助工具裏当て面２０２と研磨用品裏当て面２０４とを備える。補助工具裏当て面２０２と研磨用品裏当て面２０４との間には、チャネル保持層２０６がある。チャネル保持層２０６は、研磨用品裏当て面２０４によって画定される開口２０８と流体連通するチャネルを備える。補助工具裏当て面２０２は開口２１０を備える。
【００９０】
図３Ａ〜図３Ｄは、本発明の一実施形態に係る接合パッドの図である。接合パッド３００は、円弧形開口３０４を画定する補助工具裏当て面３０２を備える。接合パッド３００はまた、研磨用品裏当て面３０６及び中心穴３０８も備える。補助工具裏当て面３０２と研磨用品裏当て面３０６との間には、チャネル保持層３１４がある。チャネル保持層３１４は、補助工具裏当て面３０２によって画定される円弧形開口３０４及び研磨用品裏当て面３０４によって画定される開口３１２と流体連通するチャネル３１０を備える。
【００９１】
図４Ａ〜図４Ｄは、本発明の一実施形態に係る接合パッドの図である。接合パッド４００は、様々なサイズの開口４０４を画定する補助工具裏当て面４０２を備える。接合パッド４００はまた、研磨用品裏当て面４０６及び中心穴４０８も備える。補助工具裏当て面４０２と研磨用品裏当て面４０６との間には、チャネル保持層がある。チャネル保持層は、補助工具裏当て面４０２によって画定される開口４０４及び研磨用品裏当て面４０４によって画定される開口４１２と流体連通するチャネル４１０を備える。
【００９２】
図５Ａ〜図５Ｄは、本発明の一実施形態に係る接合パッドの図である。接合パッド５００は、開口５０４を画定する補助工具裏当て面５０２を備える。接合パッド５００はまた、研磨用品裏当て面５０６及び中心穴５０８も備える。補助工具裏当て面５０２と研磨用品裏当て面５０６との間には、チャネル保持層がある。チャネル保持層は、補助工具裏当て面５０２によって画定される開口５０４及び研磨用品裏当て面５０４によって画定される開口５１２と流体連通するチャネルを備える。
【００９３】
図６Ａ〜図６Ｃは、本発明の一実施形態に係る接合パッドの断面図である。断面状の接合パッド６００は、補助構造６０４を備えるチャネル保持層６０２を備える。断面状の接合パッド６００はまた、研磨用品裏当て面６０６も備える。チャネル保持層６０２は、直線チャネル６０８と分岐チャネル６１０とを備える。研磨用品裏当て面６０６は、チャネル６０８及び６１０と流体連通する開口６１２を備える。断面状の接合パッド６００はまた、中心穴６１４も備える。
【００９４】
図７Ａ〜図７Ｄは、本発明の一実施形態に係る接合パッドの断面図である。断面状の接合パッド７００は、補助構造７０４を備えるチャネル保持層７０２を備える。断面状の接合パッド７００はまた、研磨用品裏当て面７０６も備える。チャネル保持層７０２は、直線チャネル７０８と分岐チャネル７１０とを備える。研磨用品裏当て面７０６は、チャネル７０８及び７１０と流体連通する開口７１２を備える。断面状の接合パッド７００はまた、中心穴７１４も備える。
【００９５】
図９は、本発明の一実施形態に係る補助工具裏当て面の図である。補助工具裏当て面９００は、円弧形開口９０２と中心穴９０４とを画定する。
【００９６】
図１０Ａ及び図１０Ｂは、本発明の一実施形態に係る部分的に作製された接合パッドの断面図である。断面状の接合パッド１０００は、チャネル保持層１００２を備える。チャネル保持層１００２は、研磨用品裏当て面１００６の周囲（すなわち、外周）の下に重なる円環形の島部１００４と、半島部１００８及び島部１０１０とを備える。チャネル保持層１００２は、円環形の島部１００４と、半島部１００８と、島部１０１０とによって画定されるチャネル１０１２を備える。
【００９７】
図１１は、別の部分的に作製された接合パッドであり、これは、本発明の一実施形態に係る図１０Ａ及び図１０Ｂの部分的に作製された接合パッドを含む。部分的に作製された接合パッド１１００は、補助工具裏当て面１１０２を備える。補助工具裏当て面１１０２はループ面ファスナ部品を備える。補助工具裏当て面１１０２は開口１１０４を画定する。
【００９８】
図１２Ａ及び図１２Ｂは、本発明の一実施形態に係る接合パッドの図である。接合パッド１２００は、フック面ファスナ部品を備える研磨用品裏当て支持面１２０２と、ループ面ファスナ部品を備える補助工具裏当て面１２０４とを備える。研磨用品裏当て支持面１２０２は、開口１２０６と中心穴１２０８とを画定する。補助工具裏当て面１２０４は、開口１２１０と中心穴１２０８とを画定する。研磨用品裏当て支持面１２０２と補助工具裏当て面１２０４との間には、チャネル保持層が挟まる。
【００９９】
図１３Ａ及び図１３Ｂは、本発明の一実施形態に係る接合パッドの図である。接合パッド１３００は、フック面ファスナ部品を備える研磨用品裏当て支持面１３０２と、ループ面ファスナ部品を備える補助工具裏当て面１３０４とを備える。研磨用品裏当て支持面１３０２は、開口１３０６と中心穴１３０８とを画定する。補助工具裏当て面１２０４は、円環形の開口１３１０を画定する。研磨用品裏当て支持面１３０２と補助工具裏当て面１３０４との間には、チャネル保持層１３１２が挟まる。チャネル保持層１３１２は補助構造１３１４を備え、チャネル１３１６を画定する。チャネル１３１６は、開口１３０６及び円環形の開口１３１０と流体連通する。
【０１００】
一実施形態において、本発明は、少なくとも１つの開口を画定し、且つ研磨面と裏当て面とを備える孔あき研磨用品を備えるキットである。このキットはまた、研磨用品の裏当て面に固定可能な少なくとも１つの接合パッドも備える。特定の実施形態において、孔あき研磨用品は、少なくとも２つの開口を画定する。場合により、キットは、少なくとも１つの接合パッドを備え、これは、接合パッドが裏当て面に固着されたときに、平坦な補助工具の裏当て面を接合パッドに付着させたときの研磨用品の穿孔の少なくとも一部分を互いに流体連通させる開口を画定する。別の選択肢としては、キットは少なくとも２つの接合パッドを備えてもよく、これらは、裏当て面に固着され、且つ補助工具の裏当て面を接合パッドに付着させたときに、研磨用品の少なくとも２つの開口の間に流体連通を提供する少なくとも１本の管路を画定する。
【０１０１】
別の実施形態において、接合パッド及び研磨用品の少なくとも一方が、接合パッドを研磨用品に固定する接着剤を表面に備える。或いは、又は場合により、接合パッドは、研磨用品の裏当て面に着脱自在に固定可能である。例えば、接合パッドは、接合パッドと研磨用品の裏当て面との面ファスナ状の表面を用いて着脱自在に固定可能であってもよい。
【０１０２】
さらに別の実施形態において、キットの接合パッドは、補助工具を接合パッドに付着させたとき、研磨用品の穿孔間に特有の流体連通経路を画定する選択的なパターンで、研磨パッドの裏当て面に固着することができる。一実施形態において、こうした選択的なパターンは、研磨用品の異なる組み合わせの穿孔間に特有の経路を画定する。例えば、図１４Ａ及び図１４Ｂに示されるとおり、キット１４００は、接合パッド１４０２、１４０４を備え、これらは、研磨用品の裏当て面１４０６に異なるパターンで選択的に付着させることができ、それにより、補助工具が接合パッドに付着されたときに、中心穴１４１２を囲む異なる開口の組み合わせ１４０８、１４１０の間に流体連通が提供される。この実施形態は、研磨用品を通じた異なる流動速度が好ましいであろうときに有用であり、例えば、開口１４０８が開口１４１０と異なる開口総面積を有する場合に、達成することができる。
【０１０３】
本発明はまた、少なくとも１つの孔あき研磨用品（例えば、孔あき研磨布紙品）と少なくとも１つの接合パッドとを含むキットも含み得る。いくつかの実施形態において、かかるキットは、様々な用途に用いられ、又は様々な穿孔構成を有する様々な孔あき研磨用品を含むことができる。かかるキットは、それに加えて、又はそれに代えて、様々な孔あき研磨用品と共に用いられる様々な接合パッドを含む。いくつかの実施形態において、キットは、複数の孔あき研磨用品と少なくとも１つの接合パッドとを備える。さらなる実施形態において、キットは、複数の孔あき研磨用品と複数の接合パッドとを備える。
【０１０４】
キットは、例えば、（ａ）少なくとも１つの孔あき研磨用品と、（ｂ）少なくとも１つの接合パッドであって、各々が、（ｉ）第２の複数の開口を画定する研磨用品裏当て面と；（ｉｉ）研磨用品裏当て面の下に重なる複数の島部であって、第２の複数の開口のうちの少なくとも２つと流体連通する少なくとも１本のチャネルを画定する島部と；（ｉｉｉ）複数の島部の下に重なる補助工具裏当て面とを備える接合パッドとを備えてもよく；少なくとも１つの接合パッドは、少なくとも１つの孔あき研磨用品と第３の複数の開口を画定する補助工具との間に位置決め可能である。典型的には、孔あき研磨用品と補助工具とが一体に合わされるとき、第１の複数の開口は第３の複数の開口と直接には整列することができない。場合によっては、第１の複数の開口は、サイズ、形状、向き、位置、又はそれらの組み合わせからなる群から選択される点において、第３の複数の開口と異なる。好ましい実施形態において、接合パッドが孔あき研磨用品と補助工具との間に位置決めされると、第１の複数の開口のうちの少なくとも２つが、第２の複数の開口のうちの少なくとも２つと少なくとも部分的に整列する。
【０１０５】
本発明はまた、孔あき研磨用品（例えば、孔あき研磨布紙用品）を補助工具と共に使用する方法も含む。例えば、第１の複数の開口を画定する孔あき研磨用品を、第２の複数の開口を画定する補助工具と共に使用する方法は、本明細書に記載される接合パッドを孔あき研磨用品と補助工具との間に位置決めすることを含み得る。一例示的実施形態において、接合パッドは、（ａ）第３の複数の開口を画定する研磨用品裏当て面と；（ｂ）研磨用品裏当て面の下に重なる複数の島部であって、第３の複数の開口のうちの少なくとも２つと流体連通する少なくとも１本のチャネルを画定する島部と；（ｃ）複数の島部の下に重なる補助工具裏当て面とを備える。
【０１０６】
典型的には、孔あき研磨用品と補助工具とが一体に合わされるとき、第１の複数の開口は第２の複数の開口と直接には整列することができない。場合によっては、第１の複数の開口は、サイズ、形状、向き、位置、又はそれらの組み合わせからなる群から選択される点において、第２の複数の開口と異なる。好ましくは、接合パッドが孔あき研磨用品と補助工具との間に位置決めされると、第１の複数の開口のうちの少なくとも２つが、第３の複数の開口のうちの少なくとも２つと少なくとも部分的に整列する。
【０１０７】
本発明はまた、本明細書に記載される研磨工具を使用して表面を研磨する方法も含む。例えば、いくつかの実施形態において、加工面に研磨工具を接触させ、削り屑が生じる。削り屑は、研磨用品から接合パッドを通じて補助工具に送り込むことができる。例えば、一実施形態において、研磨工具は、（ａ）第１の複数の開口を画定する孔あき研磨用品と；（ｂ）接合パッドであって、第２の複数の開口を画定する研磨用品裏当て面と、第２の複数の開口のうちの少なくとも２つと流体連通する少なくとも１本のチャネルとを備える接合パッドと；（ｃ）第３の複数の開口を画定する補助工具とを備え、削り屑は、第１の複数の開口から、第２の複数の開口、さらにチャネルを通じて；及び第３の複数の開口を通じて送られる。好ましくは、接合パッドの開口及びチャネルは、研磨加工中に生じた削り屑が研磨用品裏当て面の開口、さらにチャネルを通じて効果的に運び出され、補助工具の除塵システムに達することができるように構成される。
【０１０８】
本明細書に記載される接合パッド及び研磨工具は、限定はされないが、ペンキ、コーティング、フィラー、複合材料（例えば、ガラス繊維及び炭素繊維）、木材、金属、プラスチック、石膏、並びに他のかかる材料の研磨など、数多くの用途に用いることができる。本明細書に記載される接合パッド及び研磨工具は、建設、製造、自動車、航空、海事、家具製造及び補修などの分野及び業界、並びに各業界における保守管理における使用に、また、工芸及び趣味活動における使用並びに一般消費者による使用にも好適であり得る。
【０１０９】
本発明は、特に、その例示的実施形態を参照して図示及び説明されているが、当業者は、添付の特許請求の範囲によって包含される本発明の範囲から逸脱することなく、それらに形態及び詳細の様々な変更を加え得ることを理解するであろう。
【図１】
0005394393.tif 000002
【図２Ａ】
0005394393.tif 000003
【図２Ｂ】
0005394393.tif 000004
【図３Ａ】
0005394393.tif 000005
【図３Ｂ】
0005394393.tif 000006
【図３Ｃ】
0005394393.tif 000007
【図３Ｄ】
0005394393.tif 000008
【図４Ａ】
0005394393.tif 000009
【図４Ｂ】
0005394393.tif 000010
【図４Ｃ】
0005394393.tif 000011
【図４Ｄ】
0005394393.tif 000012
【図５Ａ】
0005394393.tif 000013
【図５Ｂ】
0005394393.tif 000014
【図５Ｃ】
0005394393.tif 000015
【図５Ｄ】
0005394393.tif 000016
【図６Ａ】
0005394393.tif 000017
【図６Ｂ】
0005394393.tif 000018
【図６Ｃ】
0005394393.tif 000019
【図７Ａ】
0005394393.tif 000020
【図７Ｂ】
0005394393.tif 000021
【図７Ｃ】
0005394393.tif 000022
【図７Ｄ】
0005394393.tif 000023
【図９】
0005394393.tif 000024
【図１０Ａ】
0005394393.tif 000025
【図１０Ｂ】
0005394393.tif 000026
【図１１】
0005394393.tif 000027
【図１２Ａ】
0005394393.tif 000028
【図１２Ｂ】
0005394393.tif 000029
【図１３Ａ】
0005394393.tif 000030
【図１３Ｂ】
0005394393.tif 000031
【図１４Ａ】
0005394393.tif 000032
【図１４Ｂ】
0005394393.tif 000033